(57)【要約】【課題】  車両のドアを開閉する際に、ドアハンドルの部分のドア表面に傷が付くのを防止するとともに、車両を走行する際にも脱落し難い傷防止シートを提供する。【解決手段】  傷防止シート１は、ドアハンドル２が設けられている部分のドア表面３に添着する。所定形状に形成された板状の傷防止シート１の周縁に、周縁から中心方向に至るに従って幅を狭くした切り溝１ａが形成され、凹面状に形成されたドア表面３に傷防止シート１を添着したとき、切り溝１ａの幅を狭めるとともに、ドア表面３の凹面に沿って周縁側を湾曲させて面接合させるように構成する。【選択図】図１
2013018467.tif 000002
【特許請求の範囲】
【請求項１】
ドアハンドルが設けられている部分のドア表面に添着する傷防止シートであって、
所定形状に形成された板状の上記シートの周縁に、周縁から中心方向に至るに従って幅を狭くした切り溝が形成され、凹面状に形成された上記ドア表面に上記傷防止シートを添着したとき、上記切り溝の幅を狭めるとともに、上記凹面に沿って周縁側を湾曲させて面接合させるように構成したことを特徴とする傷防止シート。
【請求項２】
ドア表面に添着する傷防止シートの接合面に粘着剤層を設け、凹面状に形成された上記ドア表面に湾曲させて粘着する請求項１に記載の傷防止シート。
【請求項３】
ドア表面に添着する傷防止シートの接合面の中央部に板状の永久磁石を配設し、この永久磁石の磁力により上記ドア表面に添着する請求項１に記載の傷防止シート。
【請求項４】
ドア表面に添着する傷防止シートが可撓性を有するマグネットシートからなり、表面に表示部を設けた請求項１に記載の傷防止シート。
【請求項５】
ドア表面に添着する傷防止シートの接合面に吸盤を設け、この吸盤の吸着力により上記ドア表面に添着する請求項１に記載の傷防止シート。
【発明の詳細な説明】
【技術分野】
【０００１】  本発明は、自動車のアウターハンドル部のドア表面に傷が付くのを防止する傷防止シートに関するものである。
【背景技術】
【０００２】  自動車に乗車するとき、ドアハンドルを掴んで操作してドアを開ける。このとき、ドアハンドルが設けられている部分のドア表面に爪あるいは指輪等の装飾品が接触することから、ドア表面の塗膜にヘアライン状の傷が付くことがある。この傷は、自動車の使用頻度が高くなるに従って増加するため、美観を損なうことから、ドア表面を塗装しなければならず、高額な修理費が必要になる。このようなアハンドル部分のドア表面の傷を防止する手段としては、特開２００９−６８６６号公報（特許文献１）には、プラスチックフィルムの貼付け面に粘着剤層を設けた傷つき防止フィルムを貼着することが提案されている。
【特許文献１】特開２００９−６８６６号公報
【発明の開示】
【発明が解決しようとする課題】
【０００３】  一般に、ドアハンドルが設けられている部分のドア表面は、手指を挿入し易いように凹面状に形成されている。一方、特許文献１に示された傷つき防止フィルムは、適当な厚みのある平坦なプラスチックフィルムである。このため、平坦な傷つき防止フィルムを凹面に貼着したときに皺ができてしまう。また、傷つき防止フィルムが厚い場合や硬度が高い場合には、防止フィルムの周縁のみが粘着し、中央部分がドア表面から離間して粘着できず、防止フィルムが容易に脱落してしまう問題がある。特許文献１に示された傷つき防止フィルムは、乗用車の販売店に展示する販売用車両を対象とし、一時的に防止フィルムが粘着されていれば良いが、消費者が乗用車を走行する場合には、脱落しないことが求められる。
本発明の課題は、車両のドアを開閉する際に、ドアハンドルの部分のドア表面に傷が付くのを防止するとともに、車両を走行する際にも脱落し難い傷防止シートを提供することにある。
【課題を解決するための手段】
【０００４】  本発明の傷防止シートは、ドアハンドルが設けられている部分のドア表面に添着する傷防止シートであって、所定形状に形成された板状の上記傷防止シートの周縁に、周縁から中心方向に至るに従って幅を狭くした切り溝が形成され、凹面状に形成された上記ドア表面に上記傷防止シートを添着したとき、上記切り溝の幅を狭めるとともに、上記凹面に沿って周縁側を湾曲させて面接合させるように構成したことを要旨している。【０００５】  また、ドア表面に添着する傷防止シートの接合面に粘着剤層を設け、凹面状に形成された上記ドア表面に湾曲させて粘着するようにしても良い。【０００６】  さらに、ドア表面に添着する傷防止シートの接合面の中央部に板状の永久磁石を配設し、この永久磁石の磁力により上記ドア表面に添着するようにしても良い。【０００７】  さらにまた、ドア表面に添着する傷防止シートを、可撓性を有するマグネットシートによって形成し、マグネットシートの表面に表示部を設けるようにしても良い。【０００８】  また、ドア表面に添着する傷防止シートの接合面に吸盤を設け、この吸盤の吸着力により上記ドア表面に添着するようにしても良い。
【発明の効果】
【０００９】  本発明による傷防止シートによれば、所定形状に形成された板状の傷防止シートの周縁に、周縁から中心方向に至るに従って幅を狭くした切り溝を形成したことにより、ドアハンドルが設けられている部分のドア表面が凹面状に形成されていても、このドア表面に傷防止シートを添着したとき、周縁部分の切り溝の幅が狭められるとともに、ドア表面の凹面に沿って周縁側を湾曲させることができる。従って、傷防止シート全体をドア表面が凹面に沿って面接合させることが可能となる。また、傷防止シートによって、ドアハンドルの部分のドア表面に傷が付くことが防止され、しかも、面接合させることによって、車両を走行する際にも脱落し難くすることができる。さらに、傷防止シートは比較的安価に形成できるので、手軽に活用することができる。【００１０】  また、ドア表面に添着する傷防止シートの接合面に粘着剤層を設け、周縁部分の切り溝の幅を狭めて凹面状に形成されたドア表面に湾曲させて粘着することにより、ドア表面に傷が付くことが防止され、しかも、粘着剤により強固に粘着されるので、車両を走行させたとき脱落が一層防止できる。【００１１】  ドア表面に添着する傷防止シートの接合面の中央部に板状の永久磁石を配設することにより、この永久磁石の磁力によりドア表面に傷防止シートを添着させることができる。このとき、傷防止シートの周縁は、切り溝の幅を狭めることにより凹面状に合わせて湾曲するので、広い面積で傷防止シートを添着することができる。【００１２】  ドア表面に添着する傷防止シートを、可撓性を有するマグネットシートによって形成することにより、傷防止シートを簡便に形成することができ、しかも、傷防止シートの着脱が容易になる。さらに、マグネットシートの表面に表示部を設けることにより、好みに応じて傷防止シートを交換することが可能となり、車両に合わせて種々コーディネートすることができる。
【発明を実施するための最良の形態】
【００１３】  傷防止シートは、ドアハンドルが設けられている部分のドア表面に添着する傷防止シートであって、所定形状に形成された板状の上記傷防止シートの周縁に、周縁から中心方向に至るに従って幅を狭くした切り溝が形成され、凹面状に形成された上記ドア表面に上記傷防止シートを添着したとき、上記切り溝の幅を狭めるとともに、上記凹面に沿って周縁側を湾曲させて面接合させるように構成している。【００１４】  以下に、本発明を、その実施の形態を表す図面を参照しつつ詳しく説明する。図１は、本発明にかかる傷防止シートの一つの実施形態を表した平面図である。図１に示す傷防止シート１は、可撓性を有するマグネットシートによって円形状に形成され、周縁から中心に向けて複数の楔状の切り溝１ａが形成されている。さらに、中心部には、表示部１ｂが設けられ、図１に示す傷防止シート１においては、表示部１ｂに一例として、てんとう虫様のイラストが印刷等によって表示されている。この表示部１ｂには、その他、任意の画像、イラスト、文字等を表示しても良い。また、表示部１ｂに表示する手段としては、印刷の他、別途製作した表示物を接着固定しても良く、表示物としては、平面状のもの以外に、やや隆起させたレリーフ状の物であっても良い。【００１５】  傷防止シート１に使用するマグネットシートは、例えば、天然ゴム、イソプレンゴムから選ばれた少なくとも１種のゴムと特定の樹脂からなるバインダー成分に、フェライト磁石、ネオジウム磁石等の磁性粉を配合してシート状に形成され、可撓性を有している。そして、マグネットシートには、所定のパターンで着磁されている。このマグネットシートの表面には、ＰＶＣフィルムやＰＰ透明フィルムをラミネートすることにより、耐候性、耐汚性を高めている。また、傷防止シート１の厚さは、後述するように、ドア表面の凹面に沿って周縁側を湾曲させるために、０．３ｍｍ〜１．０ｍｍの比較的薄いものが好ましい。【００１６】  一方、車両のドアハンドル２が設けられている部分のドア表面３は、凹面状に形成されている。このドア表面３には、図２に示すように、傷防止シート１がマグネットシートの磁力により添着させる。このように、ドア表面３に傷防止シート１を添着したとき、周縁部分の切り溝１ａの幅が狭められるとともに、ドア表面３の凹面に沿って周縁側が湾曲する。このため、傷防止シート１は全体が凹面状に湾曲するので、ドア表面３の凹面に沿って面接合させることができる。【００１７】  傷防止シート１を凹面状に形成されたドア表面３に添着すると、周縁部分の切り溝１ａの幅が狭められ、図３に示すように、切り溝１ａは放射状に向かう線状に形成される。傷防止シート１をドア表面３の凹面に面接合させるためには、傷防止シート１を凹面状に湾曲させたとき、切り溝１ａの内面が接合もしくはやや離間するように切り溝１ａの幅を設定しておくことが必要となる。【００１８】  このように、傷防止シート１をドアハンドル２が設けられている部分のドア表面３に添着することにより、ドアハンドル２の部分のドア表面３に傷が付くことが防止され、しかも、面接合させることによって、車両を走行する際にも脱落し難くすることができる。さらに、傷防止シート１は比較的安価に形成できるので、手軽に活用することができる。【００１９】  本発明の第２の実施例として、上述した傷防止シート１は、マグネットシートを使用したが、プラスチック製のシートの表面に粘着剤を塗布したシートであっても良い。このとき使用されるプラスチック製のシートとしては、ポリエチレンテレフタレート（ＰＥＴ）、ポリエステル、ポリウレタン、ポリイミド、ポリアミド、ポリカーボネート、ポリプロピレン、軟質塩ビ（ポリ塩化ビニル）などから選択される。また、シートの厚さは、２０〜１００μｍ程度のものが好ましい。また、傷防止シート１に塗布される粘着剤としては、ドア表面３の塗膜を害わないもので、容易に貼付することができるものであって、剥離後のドア表面３に粘着剤が残らないものが好ましい。【００２０】  このように、プラスチック製やエラストマーのシートの表面に粘着剤を塗布した傷防止シート１であっても、上述したマグネットシートを使用した傷防止シート１と同様に、周縁から中心に向けて複数の楔状の切り溝１ａが形成される。さらに、中心部には表示部１ｂが設けられ、任意の画像、イラスト、文字等が表示される。そして、ドア表面３に傷防止シート１を粘着すると、周縁部分の切り溝１ａの幅が狭められるとともに、ドア表面３の凹面に沿って周縁側が湾曲することにより、傷防止シート１は全体が凹面状に湾曲し、ドア表面３の凹面に沿って面接合させることができる。【００２１】  図５は、本発明による傷防止シートの第３の実施例を示す断面図である。この実施例においては、ドア表面３に添着する傷防止シート１０の接合面の中央部に板状の永久磁石４が配設されている。傷防止シート１０としては、上述した第２の実施例と同様に、プラスチック製のシートを使用することができ、周縁から中心に向けて複数の楔状の切り溝１０ａが形成されている。【００２２】  そして、凹面状のドア表面３に傷防止シート１０を添着するとき、まず、図６に示すように、板状の永久磁石４をドア表面３の中央部に合わせると、永久磁石４が磁力によってドア表面３に磁気的に吸着させる。このとき、傷防止シート１０の周縁部がドア表面３の凹面によって強制的に湾曲するとともに、周縁部分の切り溝１０ａの幅が狭められることから、傷防止シート１０は全体が凹面状に湾曲し、ドア表面３の凹面に沿って周縁部が面接合する。この結果、永久磁石４を配設した傷防止シート１０を容易に添着または離脱することができる。【００２３】  図７は、本発明による傷防止シートの第４の実施例を示す側面図である。この実施例においては、傷防止シート１０の接合面に板状の永久磁石４を配設する代わりに、吸盤５が配設されている。この吸盤５は、比較的高さが小さい吸盤が好ましい。そして、傷防止シート１０に配設された吸盤５をドア表面に押圧することにより吸着させことにより、図８に示すように、傷防止シート１０の周縁部がドア表面３の凹面によって強制的に湾曲するとともに、周縁部分の切り溝１０ａの幅が狭められることから、傷防止シート１０は全体が凹面状に湾曲し、ドア表面３の凹面に沿って周縁部が面接合する。この結果、吸盤５を配設した傷防止シート１０を容易に添着または離脱することができる。なお、吸盤５としては、１個の吸盤を設ける他、小径の複数個の吸盤５を例えば円環状に配列して設けても良い。【００２４】  図９は、本発明による傷防止シートの第５の実施例を示す平面図である。前述した各実施例と相違する点は、傷防止シートを略四角形に形成したことである。この実施例における傷防止シート２０においても、周縁から中心に向けて複数の楔状の切り溝２０ａが形成されている。傷防止シート２０を略四角形に形成することによって、ドア表面３に形成された凹面によって湾曲寸法が異なることから、周縁側に形成する切り溝２０ａが凹面の曲面に沿うように間隔や幅及び長さを異ならせることが望ましい。これによって、傷防止シート２０がドア表面３の凹面に対して広い面積で面接合するようにしている。また、図８に示す傷防止シート２０においても、中央に表示部２０ｂが形成されている。図９においては、文字を例示している。【００２５】  図９に示す傷防止シート２０は、前述した各実施例と同様に、マグネットシート、粘着剤を塗布したプラスチック製のシート、或いは、板状の永久磁石４を配設したプラスチック製のシート、または、吸盤５を配設したプラスチック製のシートのいずれを使用しても良い。【００２６】  図１０は、本発明による傷防止シートの第６の実施例を示す要部平面図である。図１０に示す傷防止シート３０、３１は、前述した傷防止シートに比較して小さく形成され、複数の小型の傷防止シート３０、３１をドア表面３の凹面に添着もしくは粘着することによって、実質的に広い面積でドア表面３を覆うようにしている。【００２７】  この傷防止シート３０、３１は、種々の形状に形成することが可能であり、図１０（Ａ）に示す傷防止シート３０は星形に形成され、図１０（Ｂ）に示す傷防止シート３１はハート形に形成されている。そして、これらの傷防止シート３０、３１においても、周縁から中心方向に向けて複数の切り溝３０ａ、３１ａが形成されている。また、傷防止シート３０、３１は、前述した各実施例と同様に、マグネットシート、粘着剤を塗布したプラスチック製のシート、或いは、板状の永久磁石４を配設したプラスチック製のシートのいずれを使用しても良い。なお、複数の小型の傷防止シート３０、３１をドア表面３の凹面に添着もしくは粘着する位置は、なるべく隙間が生じないように配設することが望ましいが、図示に配置に限定されることなく、任意に配置しても良い。また、図１０に示す小型の傷防止シート３０、３１においても、表面に表示部を設けてイラストや文字等を表示するようにしても良い。【００２８】  本発明にかかる傷防止シートは、上記実施例に限定されるものではなく、本発明を逸脱しない範囲で適宜に変更可能である。例えば、傷防止シートの大きさをドア表面と同じに設定し、凹面全体に傷防止シートを添着もしくは粘着するようにしても良い。また、車両によっては、ドア表面が平坦な場合があるが、この場合においても傷防止シート添着もしくは粘着するようにしても良い。さらに、傷防止シートの素材としては、不織布や皮、フェルト、シリコンゴム、紙からなるシートを用いても良い。その他、傷防止シートとしては、蛍光シートや、夜間でも発光する蓄光シート、あるいは、蓄積される静電気を放電させる静電気��止シートを用いても良い。
【図面の簡単な説明】
【００２９】
【図１】本発明にかかる傷防止シートの第１の実施例を示す平面図である。
【図２】図１に示した傷防止シートをドア表面に添着した状態を示す断面図である。
【図３】図２に示したドア表面に傷防止シートを添着した状態を示す平面図である。
【図４】図２に示したドア表面に傷防止シートを添着した状態を示す側断面図である。
【図５】本発明にかかる傷防止シートの第３の実施例を示す平面図である。
【図６】図５に示した傷防止シートをドア表面に添着した状態を示す断面図である。
【図７】本発明にかかる傷防止シートの第４の実施例を示す側面図である。
【図８】図７に示した傷防止シートをドア表面に添着した状態を示す断面図である。
【図９】本発明にかかる傷防止シートの第５の実施例を示す平面図である。
【図１０】（Ａ）（Ｂ）は、本発明にかかる傷防止シートの第６の実施例を示す平面図である。
【符号の説明】
【００３０】  １      傷防止シート
１ａ    切り溝
１ｂ    表示部
２      ドアハンドル
３      ドア表面
４      永久磁石
５      吸盤
【図１】
2013018467.tif 000003
【図２】
2013018467.tif 000004
【図３】
2013018467.tif 000005
【図４】
2013018467.tif 000006
【図５】
2013018467.tif 000007
【図６】
2013018467.tif 000008
【図７】
2013018467.tif 000009
【図８】
2013018467.tif 000010
【図９】
2013018467.tif 000011
【図１０】
2013018467.tif 000012